(57)【要約】      （修正有）【課題】全体の消費電力量の平準化を図りつつ、オープンショーケースの除霜運転後の陳列室内温度の早期復帰を実現することができるオープンショーケースと空気調和装置の連携制御システムを提供する。【解決手段】オープンショーケース２は、蒸発器１１と、時限手段に基づき当該蒸発器への冷媒供給を停止するオフサイクル除霜運転を制御するショーケース側制御装置２０とを備え、当該蒸発器を含むショーケース側冷却装置により陳列室内が冷却されると共に、空気調和装置３は、当該オープンショーケースとは独立して構成される冷却装置と、店舗内温度に基づき当該冷却装置を制御する空調側制御装置３０とを備え、当該空調側制御装置は、冷房運転時において、当該ショーケース側制御装置と連携して、当該オープンショーケースの除霜運転を開始する所定時間前に、店舗内の設定温度を所定温度下げる過冷却運転を実行する。【選択図】図１
2017180989.tif 000002
【特許請求の範囲】
【請求項１】
店舗内に配設されるオープンショーケースと、当該店舗内を空調する空気調和装置の連携制御システムであって、
当該オープンショーケースは、蒸発器と、時限手段に基づき当該蒸発器への冷媒供給を停止するオフサイクル除霜運転を制御するショーケース側制御装置とを備え、当該蒸発器を含むショーケース側冷却装置により陳列室内が冷却されると共に、
当該空気調和装置は、当該ショーケース側冷却装置とは独立して構成される空調側冷却装置と、店舗内温度に基づき当該空調側冷却装置を制御する空調側制御装置とを備え、
当該空調側制御装置は、冷房運転時において、当該ショーケース側制御装置と連携して、当該オープンショーケースの除霜運転を開始する所定時間前に前記店舗内の設定温度を所定温度下げる空調側冷却装置の過冷却運転を実行することを特徴とする連携制御システム。
【請求項２】
前記ショーケース側制御装置は、前記時限手段に基づき所定の除霜開始時刻となったときに、除霜運転を開始し、前記空調側制御装置は、当該ショーケース側制御装置と連携して、当該除霜開始時刻よりも所定時間前の過冷却開始時刻となったときに過冷却運転を開始する請求項１に記載の連携制御システム。
【請求項３】
店舗内に配設されるオープンショーケースと、当該店舗内を空調する空気調和装置の連携制御システムであって、
当該オープンショーケースは、蒸発器と、時限手段に基づき当該蒸発器への冷媒供給を停止するオフサイクル除霜運転を制御するショーケース側制御装置とを備え、当該蒸発器を含むショーケース側冷却装置により陳列室内が冷却されると共に、
当該空気調和装置は、当該ショーケース側冷却装置とは独立して構成される空調側冷却装置と、店舗内温度に基づき当該空調側冷却装置を制御する空調側制御装置とを備え、
当該空調側制御装置は、冷房運転時において、当該ショーケース側制御装置と連携して、当該オープンショーケースの除霜運転の開始と同時又は除霜運転の開始後に前記店舗内の設定温度を所定温度下げる空調側冷却装置の過冷却運転を実行することを特徴とする連携制御システム。
【請求項４】
前記空調側制御装置は、前記オープンショーケースの除霜運転が終了した際に、前記店舗内の設定温度を通常の設定温度に復帰させる請求項１〜請求項３のいずれか一項に記載の連携制御システム。
【発明の詳細な説明】
【技術分野】
【０００１】
本発明は、例えばコンビニエンスストア等の店舗に設置されるオープンショーケースと、当該店舗内の空調を行う空気調和装置とを連携して制御する連携制御システムに関する。
【背景技術】
【０００２】
従来より、コンビニエンスストアやスーパーマーケット等の店舗には、複数台のショーケースが据え付けられ、当該店舗内の温度は、空気調和装置によって調整されている。各ショーケースは、冷却装置の冷却運転によって内部に配設された蒸発器に着霜が生じるため、１日に数回程度、除霜運転を実行し、蒸発器に付着した霜を融解除去している。この除霜方式としては、従来より、冷媒の蒸発器への流入を停止して当該蒸発器が配設される冷気ダクト内への空気の流通を行うオフサイクル除霜や、蒸発器近傍に設置されたヒータの通電によるヒータ除霜、高温冷媒を蒸発器に流入させるホットガス除霜などが採用されている。
【０００３】
いずれの除霜方式を採用した場合であっても、除霜運転を実行している間は、冷却運転が停止しているため、ショーケースの庫内温度は上昇する傾向にある。特に、前面又は上面が大きく開口したオープンショーケースが除霜運転を行った場合には、空気調和装置による店舗内空調に大きく影響する。ショーケースの除霜運転の実行によりショーケースの陳列室内の温度が上昇し、これに追随して店舗内温度が上昇していくと、空気調和装置は、冷却能力を増大させる制御を行う。この際、空気調和装置が冷却能力を上げるタイミングと、オープンショーケースが除霜運転を終了し、冷却運転を再開するプルダウン運転開始のタイミングが重なると、商用系統から供給される電力の消費量が、所定の目標レベルを一時的に超えてしまい、消費電力量の平準化が図れないという問題がある。
【０００４】
そこで、例えば、特許文献１には、低温ショーケースが霜取動作（除霜運転）する場合に十分な省エネ効果を得ることを目的とする空気調和装置が開示されている。すなわち、特許文献１には、オープンタイプの低温ショーケース（以下、オープンショーケースと称する）が設置された店舗内に設けられる室内ユニットと、当該室内ユニットに冷媒配管にて接続された室外ユニットを備えた空気調和装置であって、前記オープンショーケースの霜取動作に伴って前記オープンショーケースの庫内温度が霜取設定温度まで到達する前までに前記店舗内の温度を所定温度だけ降下させると共に、前記霜取動作終了後に前記オープンショーケースの庫内温度が庫内設定温度に復帰した後に前記店舗内の温度を復帰させることが開示されている。具体的には、上述した特許文献１では、オープンショーケースの霜取動作が開始された後に、空調設定温度を引き下げることで、オープンショーケースの周辺の熱負荷を一時的に下げて、オープンショーケースの庫内温度が霜取動作を終了する霜取設定温度から通常の庫内設定温度に戻すために要する時間の短縮を図っている。
【先行技術文献】
【特許文献】
【０００５】
【特許文献１】特開２００７−２４４４３号公報
【発明の概要】
【発明が解決しようとする課題】
【０００６】
しかしながら、特許文献１では、オープンショーケースの除霜運転が終了した後においても、空調設定温度は引き下げられたままであったため、オープンショーケースの冷やし込みを行うプルダウン運転と、空調の冷却運転が同時に行われることとなり、全体としての消費電力量を低く抑えることは困難であった。また、除霜運転を開始してから空調設定温度を引き下げたとしても、オープンショーケースが除霜運転を行っていることから、当該オープンショーケースから漏洩する冷気による店舗内の冷却補助効果も期待できなくなる。よって、空調の設定温度を引き下げた空調運転を行ったとしても、通常の冷却運転時よりも冷却負荷が大きくなって、実際にオープンショーケースの周辺温度が下がるまでに多くの時間を要する。特に、オープンショーケースの除霜運転としては、ホットガス冷媒や、ヒータを用いた除霜運転が行われることが多く、全体の消費電力量の平準化を行いつつ、オープンショーケースの除霜運転終了後に陳列室内温度を早期に通常の設定温度に復帰させることは困難であった。
【０００７】
以上のことから、市場からは、全体の消費電力量の平準化を図りつつ、オープンショーケースの除霜運転後の陳列室内温度の早期復帰を実現することができるオープンショーケースと空気調和装置の連携制御システムの開発が要望されてきた。
【課題を解決するための手段】
【０００８】
そこで、本件発明者等は、鋭意研究の結果、全体の消費電力量の平準化を実現しつつ、オープンショーケースと空気調和装置の効率的な運転を実現することができる連携制御システムを提供するに至った。
【０００９】
すなわち、本発明に係る連携制御システムは、店舗内に配設されるオープンショーケースと、当該店舗内を空調する空気調和装置の連携制御システムであって、当該オープンショーケースは、蒸発器と、時限手段に基づき当該蒸発器への冷媒供給を停止するオフサイクル除霜運転を制御するショーケース側制御装置とを備え、当該蒸発器を含むショーケース側冷却装置により陳列室内が冷却されると共に、  当該空気調和装置は、当該ショーケース側冷却装置とは独立して構成される空調側冷却装置と、店舗内温度に基づき当該空調側冷却装置を制御する空調側制御装置とを備え、  当該空調側制御装置は、冷房運転時において、当該ショーケース側制御装置と連携して、当該オープンショーケースの除霜運転を開始する所定時間前に前記店舗内の設定温度を所定温度下げる空調側冷却装置の過冷却運転を実行することを特徴とする。
【００１０】
本発明において、前記ショーケース側制御装置は、前記時限手段に基づき所定の除霜開始時刻となったときに、除霜運転を開始し、前記空調側制御装置は、当該ショーケース側制御装置と連携して、当該除霜開始時刻よりも所定時間前の過冷却開始時刻となったときに過冷却運転を開始することが好ましい。
【００１１】
また、本発明に係る連携制御システムは、店舗内に配設されるオープンショーケースと、当該店舗内を空調する空気調和装置の連携制御システムであって、当該オープンショーケースは、蒸発器と、時限手段に基づき当該蒸発器への冷媒供給を停止するオフサイクル除霜運転を制御するショーケース側制御装置とを備え、当該蒸発器を含むショーケース側冷却装置により陳列室内が冷却されると共に、当該空気調和装置は、当該ショーケース側冷却装置とは独立して構成される空調側冷却装置と、店舗内温度に基づき当該空調側冷却装置を制御する空調側制御装置とを備え、当該空調側制御装置は、冷房運転時において、当該ショーケース側制御装置と連携して、当該オープンショーケースの除霜運転の開始と同時又は除霜運転の開始後に前記店舗内の設定温度を所定温度下げる空調側冷却装置の過冷却運転を実行することを特徴とする。
【００１２】
本発明において、前記空調側制御装置は、前記オープンショーケースの除霜運転が終了した際に、前記店舗内の設定温度を通常の設定温度に復帰させることが好ましい。
【発明の効果】
【００１３】
本発明に係る連携制御システムによれば、空調側制御装置は、ショーケース側制御装置と連携して、オープンショーケースのオフサイクル除霜運転を開始する所定時間前に店舗内の設定温度を所定温度下げる空調側冷却装置の過冷却運転を実行することにより、オープンショーケースの除霜運転に対応して早期にオープンショーケース周辺の温度を引き下げることが可能となる。よって、オープンショーケースの除霜運転が終了した後のプルダウン運転の実行時には、オープンショーケース周辺が十分に冷えているため、当該オープンショーケースのプルダウン運転と、空気調和装置の過冷却運転とが同時に行われ難くなる。従って、オープンショーケースの消費電力量と空気調和装置の消費電力量とを合わせた消費電力量の平準化が可能となる。特に、オープンショーケースは、オフサイクル除霜運転を行うことで、消費電力量をより低く抑えることが可能となる。また、オープンショーケース周辺の温度が十分に冷えており、空気調和装置の過冷却による除湿効果によって、オープンショーケースの陳列室内温度を早期に設定温度に復帰させることが可能となる。よって、店舗全体として効率的な冷却運転を実現することが可能となる。
【００１４】
また、空調側冷却装置の過冷却運転をオープンショーケースの除霜運転の開始と同時又は除霜運転の開始後に行う場合には、オフサイクル除霜運転の実行によって、オープンショーケース側の消費電力量が低減した状態で、空調側冷却装置の過冷却運転を行ってオープンショーケース周辺の温度を引き下げることができる。よって、オープンショーケースと空気調和装置の全体の消費電力量の平準化を図りつつ、空気調和装置の過冷却運転によって、除霜運転を行っているオープンショーケース周辺の除湿効果を得ることができ、効果的な除霜運転が可能となる。従って、オープンショーケースの除霜運転が終了した後の陳列室内の冷やし込みを行うプルダウン運転の実行時には、オープンショーケースの陳列室内温度を早期に設定温度に復帰させることができ、店舗全体として効率的な冷却運転を実現することが可能となる。
【図面の簡単な説明】
【００１５】
【図１】本発明を適用した一実施の形態としての連携制御システムの概略構成図である。
【図２】図１の連携制御システムの制御ブロック図である。
【図３】本実施の形態の動作を説明するためのタイミングチャートである。
【図４】図３の場合の消費電力量の変化の一例を示す図である。
【図５】他の実施の形態の動作を説明するためのタイミングチャートである。
【図６】図５の場合の消費電力量の変化の一例を示す図である。
【発明を実施するための形態】
【００１６】
以下、本発明に係る実施の形態としての連携制御システムについて図面を参照して説明する。図１は本発明を適用した一実施の形態としての連携制御システム１の概略構成図、図２は図１の連携制御システムの制御ブロック図を示している。本実施の形態の連携制御システム１は、コンビニエンスストア等の店舗内に設置されたオープンショーケース２と、当該店舗内を空調する空気調和装置３とから構成される。以下に、オープンショーケース２と、空気調和装置３についてそれぞれ説明した後、これらオープンショーケース２と空気調和装置３の具体的な連携制御について述べる。
【００１７】
オープンショーケース２は、例えば、コンビニエンスストア等の店舗に設置される場合には、前面に大きく開口した陳列室内を備えており、おにぎりやサンドイッチ等の調理済み冷蔵食品を収納する冷蔵ショーケースとして用いられる。なお、本件発明におけるオープンショーケース２は、おにぎりやサンドイッチ等の調理済み冷蔵食品の貯蔵に適した１５℃〜２０℃と比較的高い温度帯のショーケースに限定されるものではなく、その他の冷蔵温度帯や冷凍温度帯などを実現するものであっても良い。また、当該オープンショーケース２が配設される店舗内には、当該オープンショーケース２のみならず、冷蔵ウォークイン貯蔵庫、クローズドタイプのリーチインショーケースなども設置されていてもよく、店舗内のレイアウトについては特に限定されるものではない。
【００１８】
各オープンショーケース２は、それぞれ蒸発器１１や膨張弁１２等の減圧手段を備えている。また、当該蒸発器１１の近傍には、当該蒸発器と熱交換した冷気を陳列室１９内に供給する冷気循環用送風機１８も備えている。当該オープンショーケース２に設けられた蒸発器１１と膨張弁１２、冷気循環用送風機１８は、店舗の機械室や屋外に設置された冷凍機１３と共に、ショーケース側冷却装置１０を構成する。冷凍機１３は、圧縮機１４や放熱器１５と、放熱器用送風機１６等から構成されている。各オープンショーケース２の膨張弁１２と蒸発器１１の直列回路は、相互に並列接続されて、冷媒配管１７を介して冷凍機１３の圧縮機１４、放熱器１５と接続され、周知の冷媒回路を構成する。
【００１９】
各オープンショーケース２及び冷凍機１３により構成される冷媒回路内には、所定の冷媒が封入されている。よって、冷凍機１３の圧縮機１４が運転されると、圧縮機１４により圧縮された高温高圧のガス冷媒は放熱器１５に流入し、放熱器用送風機１６により空冷される。放熱した冷媒は各オープンショーケース２の膨張弁１２で減圧された後、各蒸発器１１に流入して蒸発する。これにより、蒸発器１１は冷却作用を発揮し、当該蒸発器１１と熱交換した冷気は、冷気循環用送風機１８により陳列室１９内に循環され、各オープンショーケース２の陳列室１９内は所定の温度に冷却される。そして、各オープンショーケース２の各蒸発器１１で蒸発したガス冷媒は、再び冷凍機１３の圧縮機１４に吸い込まれる循環を繰り返す。
【００２０】
一方、空気調和装置３は、店舗の天井等に取り付けられた室内機３１と、屋外等に設置された室外機３２とから構成される。室内機３１は、少なくとも利用側熱交換器３７と、減圧手段としての膨張弁３８と、当該利用側熱交換器３７と熱交換した調整空気を吹出口３４から店舗内に吐出する空調用送風機３３を備えている。当該吹出口３４には風向調整用のフラップ３５が設けられていてもよい。室外機３２は、少なくとも図示しない熱源側熱交換器と、圧縮機４３と、熱源側送風機４４等を備えており、室内機３１に設けられた利用側熱交換器３７や膨張弁３８と共に周知の冷媒回路を構成する。これら冷媒回路を構成する圧縮機４３や、熱源側熱交換器、減圧手段としての膨張弁３８、利用側熱交換器３７等の各種機器と、空調用送風機３３、熱源側送風機等により、空調側冷却装置３０が構成される。当該空調側冷却装置３０は、上述したショーケース側冷却装置１０とは、独立して構成されるものであればよく、特に限定されない。また、室内機３１及び室外機３２は、いずれも一台に限らず複数台備えていてもよい。
【００２１】
次に、図２の制御ブロック図を参照して本実施の形態に係る連携制御システムの制御について説明する。本実施の形態において、各オープンショーケース２と、空気調和装置３とは、統合して管理する集中管理装置４により制御される。
【００２２】
具体的には、当該集中管理装置４は、各オープンショーケース２毎に設けられるショーケース側制御装置２０と、冷凍機１３に設けられる冷凍機側制御装置２４と、空気調和装置３の室内機３１に設けられる室内機側制御装置３６と、室外機３２に設けられる室外機側制御装置４１とが、通信線又は無線により接続されている。各制御装置２０、２４、３６、４１は、それぞれ集中管理装置４と相互に情報の授受が行われる。また、この集中管理装置４には、設定温度や、各種機器の設定を行うための管理側コントロールパネル５を備えていてもよい。よって、集中管理装置４は、ショーケース側制御装置２０、冷凍機側制御装置２４、室内機側制御装置３６、室外機側制御装置４１の各種機器の制御を行う。
【００２３】
集中管理装置４、ショーケース側制御装置２０、冷凍機側制御装置２４、室内機側制御装置３６、室外機側制御装置４１は、いずれも汎用のマイクロコンピュータにより構成されている。それぞれの制御装置に記憶手段としてのメモリや、時限手段としてのタイマを内蔵していてもよいが、本実施の形態では、少なくとも集中管理装置４が記憶手段としてのメモリ２１や時限手段としてのタイマ２２を内蔵している。
【００２４】
ショーケース側制御装置２０には、当該オープンショーケース２の陳列室１９内の温度を検出する陳列室内温度センサ２３と、当該オープンショーケース２が備える膨張弁１２と、冷気循環用送風機１８とが接続されている。当該ショーケース側制御装置２０は、陳列室１９内の設定温度を入力可能とする当該ショーケース側コントロールパネル（ショーケース側入力手段）２７が接続されていてもよい。集中管理装置４に接続された管理側コントロールパネル５及びショーケース側コントロールパネル２７は、少なくとも、陳列室内の設定温度の入力や、除霜条件の設定を可能とする。例えば、本実施の形態では、当該除霜条件としては、タイマ２２による制御に基づいて、日内における所定の時刻や、前回の除霜運転が終了してからの経過時間等を採用することができる。なお、除霜条件としては、これに限定されるものではなく、既存の冷凍機器に採用されている除霜条件を採用しても良い。当該構成により、集中管理装置４は、ショーケース側制御装置２０を介して、陳列室内温度センサ２３により検出された温度に基づき、膨張弁１２及び冷気循環用送風機１８を制御し、タイマ２２に基づき、所定の除霜運転を実行する。
【００２５】
冷凍機側制御装置２４は、少なくとも当該冷凍機１３に設けられる圧縮機１４及び放熱器用送風機１６が接続されている。よって、各冷凍機１３に設けられた圧縮機１４及び放熱器用送風機１６は、冷凍機側制御装置２４を介して集中管理装置３により制御される。なお、本実施の形態では、集中管理装置４に、冷凍機側制御装置２４と、各オープンショーケース２のショーケース側制御装置２０がそれぞれ接続されて、当該集中管理装置４により、それぞれの制御装置２４、２０が制御される構成としているが、これに限定されるものではなく、当該冷凍機側制御装置２４と各ショーケース側制御装置２０とが相互に情報の授受をおこない、例えば、集中管理装置４が、冷凍機側制御装置２４を介して、接続されているオープンショーケース２すべてを含む全体の統合管理を行ってもよい。
【００２６】
空調側制御装置としての室内機側制御装置３６は、店舗内の温度を検出する店舗内温度センサ３９と、膨張弁３８と、空調用送風機３３と、風向調整用フラップ３５が接続されている。当該室内機側制御装置３６は、室内機３１側において店舗内の設定温度を入力可能とする空調側コントロールパネル（空調側入力手段）４０が接続されていてもよい。よって、膨張弁３８と、空調用送風機３３と、風向調整用フラップ３５は、管理側コントロールパネル５又は空調側コントロールパネル４０により設定された店舗内設定温度に基づいて、当該室内機側制御装置３６を介して集中管理装置４により制御される。
【００２７】
空調側制御装置としての室外機側制御装置４１は、少なくとも当該室外機３２に設けられる圧縮機４３と、熱源側熱交換器用送風機４４等が接続されている。よって、当該圧縮機４３や熱源側熱交換器用送風機４４等は、当該室外機側制御装置４１を介して集中管理装置４により制御される。
【００２８】
本実施の形態では、上述したオープンショーケース２のショーケース側制御装置２０又は冷凍機側制御装置２４と、室内機側制御装置３６又は室外機側制御装置４１とが通信可能に接続されており、相互に連携して制御可能とされている。なお、本実施の形態では、ショーケース側制御装置２０と室内機側制御装置３６とが通信可能に接続されているが、本件発明はこれに限定されるものではなく、オープンショーケース２側の制御装置と、空気調和装置３側の制御装置、すなわち、室内機側制御装置３６又は室外機側制御装置のいずれか一方が相互に通信可能に接続されて、連携して制御可能とされていればよい。
【００２９】
なお、本実施の形態では、集中管理装置３４を介して各ショーケース側制御装置２０や冷凍機側制御装置２４、空調側制御装置としての室内機側制御装置３６や室外機側制御装置４１を制御しているが、本願発明はこれに限定されるものではない。例えば、集中管理装置４を介することなく、直接、ショーケース側制御装置２０と、空気側制御装置としての室内機側制御装置３６又は室外機側制御装置４１と通信することにより、当該空調側制御装置が各ショーケース側制御装置２０と連携して、室内機３１や室外機３２の各機器を制御してもよい。
【００３０】
以下に、図３の動作を説明するためのタイミングチャートを参照して、本件発明に係る実施の形態としてのオープンショーケース２と空気調和装置３の連携制御について説明する。
【００３１】
オープンショーケース２の通常の冷却運転時において、ショーケース側制御装置２０は、陳列室内温度を検出する陳列室内温度センサ２３の出力に基づき、当該陳列室内温度が、予めショーケース側コントロールパネル２７の入力等により設定した陳列室内設定温度となるように、ショーケース側冷却装置１０を制御する。具体的には、ショーケース側制御装置２０は、膨張弁１２の開度制御や、冷気循環用送風機１８の制御を行うと共に、冷凍機側制御装置２４は、ショーケース側冷却装置１０を構成する圧縮機１４の運転周波数の制御等を行う。これにより、陳列室１９内の温度は、陳列室内設定温度に冷却される。
【００３２】
そして、ショーケース側制御装置２０は、所定の除霜条件に基づいて、当該オープンショーケース２の除霜運転を開始する。本実施の形態では、タイマ２２による制御に基づいて、日内における所定の時刻や、前回の除霜運転が終了してからの所定時間経過後に、オフサイクル除霜運転を行う。当該オフサイクル除霜運転では、膨張弁１２を閉じて蒸発器１１への冷媒供給を停止する。この際、冷気循環用送風機１８は運転を行っても良い。これにより、オープンショーケース２の蒸発器１１の周辺温度は徐々に上昇していき、蒸発器１１に付着した霜が徐々に融解除去される。
【００３３】
一方、空気調和装置３の冷房運転時において、室内機側制御装置３６は、店舗内温度を検出する店舗内温度センサ３９の出力に基づき、当該店舗内温度が、予め空調側コントロールパネル４０の入力等により設定した店舗内設定温度となるように、空調側冷却装置３０の圧縮機４３等の機器を制御する。具体的には、集中管理装置４は、室外機側制御装置４１と連携して、当該室外機３２側に配設された圧縮機４３の周波数制御や利用側熱交換器３７内に流入する冷媒量を調整する膨張弁等の開度制御を行う。これにより、店舗内温度は、店舗内設定温度に冷却される。
【００３４】
そして、室内機側制御装置３６は、オープンショーケース２側のショーケース側制御装置２０と連携して、当該オープンショーケース２の除霜スケジュールに基づき、例えば、所定の除霜開始時刻よりも所定時間前の過冷却開始時刻になると、空調側冷却装置３０の過冷却運転を実行する。具体的には、室内機側制御装置３６は、過冷却運転時において、現在の店舗内設定温度を所定温度低い温度に変更して空調側冷却装置３０を運転する。
【００３５】
過冷却運転時における設定温度は、例えば、現在の店舗内設定温度よりも１℃〜５℃（１Ｋ〜５Ｋ）低い温度とすることが好ましい。過冷却運転において、店舗内設定温度を１℃〜５℃（１Ｋ〜５Ｋ）低い温度とすることで、オープンショーケース２の除霜運転に備えて、十分にオープンショーケース２周辺の温度を下げることが可能となるからである。
【００３６】
当該過冷却運転は、店舗の広さや同時に除霜運転を実行するオープンショーケース２の第数等によっても異なるが、除霜運転の開始の１分〜１０分前から実施することが好ましい。オープンショーケース２の除霜運転の開始の１分〜１０分前から空気調和装置が過冷却運転を行うことで、オープンショーケース２の除霜運転に備えて、十分にオープンショーケース２周辺の温度を下げることが可能となるからである。
【００３７】
ショーケース側制御装置２０は、所定の除霜運転の終了条件を満たした場合に除霜運転を終了し、陳列室内を冷やし込むプルダウン運転を開始する。除霜運転の終了条件としては、除霜運転の開始から所定時間の経過、又は、陳列室内温度が所定の温度に達したことを条件としても良い。ショーケース側制御装置２０が、当該オープンショーケース２の蒸発器１１の温度を検出する蒸発器温度センサを備えている場合には、当該ショーケース側制御装置２０は、当該蒸発器温度センサにより検出された温度に基づいて除霜運転の終了を判断しても良い。ショーケース側制御装置２０は、陳列室内温度を検出する陳列室内温度センサ２３の出力に基づき、当該陳列室内温度が、予めショーケース側コントロールパネル２７の入力等により設定した陳列室内設定温度に到達した場合に、プルダウン運転を終了し、通常の冷却運転に戻る。
【００３８】
一方、室内機側制御装置３６は、オープンショーケース２側のショーケース側制御装置２０と連携して、オープンショーケース２の除霜運転が終了した際には、空調側冷却装置３０の過冷却運転を終了し、現在の店舗内設定温度を過冷却運転開始前の通常の店舗内設定温度に復帰させる。その後、室内機側制御装置３６は、通常の冷房運転に移行する。
【００３９】
上述したように、本件発明では、空調側制御装置である室内機側制御装置３６が、ショーケース側制御装置２０と連携して、オープンショーケース２の除霜運転を開始する所定時間前に店舗内の設定温度を所定温度下げる空調側冷却装置３０の過冷却運転を実行することにより、オープンショーケース２の除霜運転に対応して早期にオープンショーケース２周辺の温度を引き下げ、かつ、除湿効果を奏することが可能となる。よって、オープンショーケース２の除霜運転が終了した後の陳列室１９内の冷やし込みを行うプルダウン運転の実行時には、オープンショーケース２周辺の温度が十分に冷えているとともに、湿度の上昇が抑制されているため、オープンショーケース２のプルダウン運転を効率的に行うことができ、早期に陳列室内温度を陳列室内設定温度に復帰させることが可能となる。よって、店舗全体として効率的な冷却運転を実現することが可能となる。
【００４０】
特に、本件発明によれば、オープンショーケース２の除霜運転が終了する頃には、過冷却運転によって引き下げられた設定温度付近まで店舗内が冷却されているため、図４の消費電力量の変化に示すように、空気調和装置３の消費電力量が過冷却運転開始時点よりも低減されている。よって、オープンショーケース２の除霜運転終了時点においても空気調和装置３の過冷却運転を継続して行ったとしても、オープンショーケース２と空気調和装置３の両者を合わせた消費電力量は、連携制御を行わなかった場合と比較して低く抑えることが可能となる。
【００４１】
本実施の形態では、上述したように、オープンショーケース２の除霜運転が終了した際には、空調側冷却装置３０の過冷却運転を終了し、現在の店舗内設定温度を過冷却運転開始前の店舗内設定温度に戻す。そのため、オープンショーケース２がプルダウン運転を開始した時点では、十分に店舗内の温度が過冷却運転開始前の店舗内設定温度よりも十分に低いため、空調側冷却装置３０は、通常、圧縮機４３等の運転が停止されている。よって、オープンショーケース２のプルダウン運転と、空気調和装置３の過冷却運転とが同時に行われ難くなり、図４に示すように、オープンショーケース２のプルダウン運転時におけるオープンショーケース２の消費電力量と空気調和装置３の消費電力量とを合わせた消費電力量のピークを低く抑えることができる。従って、オープンショーケース２の除霜運転の前後において、オープンショーケース２の消費電力量と空気調和装置３の消費電力量とを合わせた消費電力量の平準化が可能となる。
【００４２】
また、以下に本件発明に係る他の実施の形態としてのオープンショーケース２と空気調和装置３の連携制御について、図５の動作を説明するためのタイミングチャートを参照して説明する。
【００４３】
当該他の実施の形態では、室内機側制御装置３６は、オープンショーケース２側のショーケース側制御装置２０と連携して、当該オープンショーケース２の除霜スケジュールに基づき、例えば、所定の除霜開始時刻になると、空調側冷却装置３０の過冷却運転を実行する。具体的には、室内機側制御装置３６は、ショーケース側制御装置２０と連携して、当該オープンショーケース２の除霜運転の開始と同時又は当該除霜運転の開始よりも後のタイミングで空調側冷却装置３０の過冷却運転を実行し、現在の店舗内設定温度を所定温度低い温度に変更して空調側冷却装置３０を運転する。この場合においても、過冷却運転時における設定温度は、例えば、現在の店舗内設定温度よりも１℃〜５℃（１Ｋ〜５Ｋ）低い温度とすることが好ましい。
【００４４】
当該実施の形態においても、ショーケース側制御装置２０は、所定の除霜運転の終了条件を満たした場合に除霜運転を終了し、陳列室内を冷やし込むプルダウン運転を開始する。そして、ショーケース側制御装置２０は、陳列室内温度を検出する陳列室内温度センサ２３の出力に基づき、当該陳列室内温度が、予めショーケース側コントロールパネル２７の入力等により設定した陳列室内設定温度に到達した場合に、プルダウン運転を終了し、通常の冷却運転に戻る。
【００４５】
一方、室内機側制御装置３６は、オープンショーケース２側のショーケース側制御装置２０と連携して、オープンショーケース２の除霜運転が終了した際には、空調側冷却装置３０の過冷却運転を終了し、現在の店舗内設定温度を過冷却運転開始前の通常の店舗内設定温度に復帰させる。その後、室内機側制御装置３６は、通常の冷房運転に移行する。
【００４６】
上述したように、本実施の形態では、空調側制御装置である室内機側制御装置３６が、ショーケース側制御装置２０と連携して、オープンショーケース２の除霜運転の開始と同時又は除霜運転の開始後に店舗内の設定温度を所定温度下げる空調側冷却装置３０の過冷却運転を実行することにより、蒸発器近傍に設置されたヒータの通電によるヒータ除霜、高温冷媒を蒸発器に流入させるホットガス除霜等の除霜方式を採用する場合と異なり、オープンショーケース２側の消費電力量が低減した状態で、空調側冷却装置３０の過冷却運転を行ってオープンショーケース２周辺の温度を引き下げることができる。よって、図６の消費電力量の変化を示す図からも理解できるように、オープンショーケース２と空気調和装置３の全体の消費電力量の平準化を図ることができる。そして、空気調和装置３の過冷却運転によって、除霜運転を行っているオープンショーケース２周辺の除湿効果を得ることができ、効果的な除霜運転が可能となる。
【００４７】
この場合においても、オープンショーケース２の除霜運転が終了した際には、空調側冷却装置３０の過冷却運転を終了し、現在の店舗内設定温度を過冷却運転開始前の店舗内設定温度に戻すことが好ましい。そのため、オープンショーケース２がプルダウン運転を開始した時点では、十分に店舗内の温度が過冷却運転開始前の店舗内設定温度よりも十分に低いため、空調側冷却装置３０は、通常、圧縮機４３等の運転が停止されている。よって、オープンショーケース２のプルダウン運転と、空気調和装置３の過冷却運転とが同時に行われ難くなり、図６に示すように、オープンショーケース２のプルダウン運転時におけるオープンショーケース２の消費電力量と空気調和装置３の消費電力量とを合わせた消費電力量のピークを低く抑えることができる。従って、オープンショーケース２の除霜運転の前後において、オープンショーケース２の消費電力量と空気調和装置３の消費電力量とを合わせた消費電力量の平準化が可能となる。
【産業上の利用可能性】
【００４８】
本発明にかかる連携制御システムは、オフサイクル除霜運転であっても効率的に蒸発器１１の除霜を行うことができる、陳列室内温度が比較的高い温度の冷蔵オープンショーケースや空気調和装置が設置されたコンビニエンスストア等の店舗において特に有効に用いることができる。
【符号の説明】
【００４９】
１    連携制御システム
２    オープンショーケース
３    空気調和装置
４    集中管理装置
５    管理側コントロールパネル
１０    ショーケース側冷却装置
１１    蒸発器
１２    膨張弁（減圧手段）
１３    冷凍機
１４    圧縮機
１５    放熱器
１６    放熱器用送風機
１７    冷媒配管
１８    冷気循環用送風機
１９    陳列室
２０    ショーケース側制御装置
２１    メモリ（記憶手段）
２２    タイマ（時限手段）
２３    陳列室内温度センサ
２４    冷凍機側制御装置
２７    ショーケース側コントロールパネル（ショーケース側入力手段）
３０    空調側冷却装置
３１    室内機
３２    室外機
３３    空調用送風機
３４    吹出口
３５    風向調整用フラップ
３６    室内機側制御装置（空調側制御装置）
３７    利用側熱交換器
３８    膨張弁
３９    店舗内温度センサ
４０    空調側コントロールパネル（空調側入力手段）
４１    室外機側制御装置
４３    圧縮機
４４    熱源側熱交換器用送風機
【図１】
2017180989.tif 000003
【図２】
2017180989.tif 000004
【図３】
2017180989.tif 000005
【図４】
2017180989.tif 000006
【図５】
2017180989.tif 000007
【図６】
2017180989.tif 000008